(57)【要約】 【課題】  背面側筐体に各種基板、及び表示パネルなどを取付けて組立てるように構成した表示装置であって、冷陰極蛍光管と回路基板との結線処理をそのままの姿勢で作業出来る表示装置の提供。 【解決手段】  表示パネル１５を構成するサイドフレーム８の外側にはコネクタ保持部１６を形成し、このコネクタ保持部１６にコネクタ１７を嵌めて取付ける。そして冷陰極蛍光管７から延出する線材１８のコネクタ１７をコネクタ保持部１６に嵌入した状態で、背面側筐体３に取付けた回路基板から延出する線材１９のコネクタを該表示パネル側のコネクタ１７に接続する。 【選択図】    図２
2009162919.tif 000002
【特許請求の範囲】
【請求項１】
少なくとも前面側筐体と背面側筐体とによって装置外観の筐体を構成し、前記背面側筐体に回路基板を取り付け、表示パネルに前記回路基板から電源を供給するように構成した表示装置において、該表示パネルには電源供給用コネクタを備え、前記回路基板より延出する線材付きコネクタを前記電源供給用コネクタに接続したことを特徴とする表示装置。 
【請求項２】
前記回路基板からの電源供給先は表示パネル内の発光部品であり、前記表示パネルを構成する側面部材に電源供給用コネクタを備えたことを特徴とする請求項１に記載の表示装置。
【請求項３】
前記電源供給用コネクタを表示パネルの一方側側面に集約したことを特徴とする請求項１、又は請求項２に記載の表示装置。
【請求項４】
前記電源供給用コネクタを着脱可能に保持する保持部を表示パネルの側面部材に形成したことを特徴とする請求項１乃至３の何れか１項記載の表示装置。 
【請求項５】
前記電源供給用コネクタの接続部分が表示パネルの表示面側となるように備えたことを特徴とする請求項１乃至４の何れか１項記載の表示装置。
【請求項６】
前記保持部は、電源供給用コネクタが嵌る嵌入部と、前記嵌入部の両側に前記電源供給用コネクタの線材を係止する係止部とを一体に形成して成ることを特徴とする請求項４、又は請求項５記載の表示装置。
【請求項７】
前記係止部に電源供給用コネクタの線材部分を略Ｓ字状に掛け止めしたことを特徴とする請求項６に記載の表示装置。 
【請求項８】
前記表示パネルの側面部材は内壁と外壁とを有し、前記内壁及び外壁の下縁には複数の凹溝を形成し、前記内壁と外壁とを繋ぐ仕切りリブを設け、前記内壁に形成した凹溝と対向する位置には収容部を形成し、略直線形状を成す発光部品の両端には弾性緩衝部材を取着して、該弾性緩衝部材を前記内壁と外壁とで形成される空間に嵌入したことを特徴とする請求項１乃至７の何れか１項記載の表示装置。 
【請求項９】
前記表示パネルの側面部材は内壁と外壁とを有し、前記内壁及び外壁の下縁には複数の凹溝を形成し、前記内壁と外壁を繋ぐ仕切りリブを設け、前記内壁に形成した凹溝と対向する位置には収容部を形成し、略Ｕ字形状を成す発光部品の電源供給側端部には弾性緩衝部材を取着して該弾性緩衝部材を前記内壁と外壁とで形成される空間に嵌入し、前記発光部品の屈曲部には弾性環状部材を取着して前記収容部に嵌入したことを特徴とする請求項１乃至７の何れか１項記載の表示装置。 
【請求項１０】
前記弾性緩衝部材は発光部品の端部を挿入する穴を軸方向に凹設し、そして内壁下縁に形成した凹溝に嵌る第１嵌合部と、前記収容部に嵌る第２嵌合部とを設けたことを特徴とする請求項８、又は請求項９記載の表示装置。 
【発明の詳細な説明】
【技術分野】
【０００１】
本発明は、表示パネルに、前記表示パネルとは別体の回路基板から電源を供給するように構成した液晶表示装置に関し、組立て構造として作業性の向上を図り、且つ複数種の発光部品に対して保持可能とした表示装置に関するものである。 
【背景技術】
【０００２】
近年、表示パネルを備えた電気機器（以下、単に表示装置と略す）として様々な製品が市場に導入されている。代表的な製品を列挙すれば、液晶表示装置、プラズマディスプレイパネル、パーソナルコンピュータ、携帯電話、デジタルカメラ、等があり、さらに表示方式も様々である。例えば、冷陰極蛍光管やＬＥＤを表示面の後方より発光させて画面を表示させる方式や、電圧をかけることで発光する有機物質を画面に使用して表示させる方式など手段や配置によって多種多様に存在する。そして、これら表示装置の内部構造においても様々であるが、組立て易さや製品そのものの簡略化が実現できることが望まれている。
【０００３】
ここで、表示装置の代表例として液晶表示装置の一般的な構造について詳述する。全体的に幅、及び高さに対して奥行きの寸法が小さく形成されている液晶表示装置は、前面側筐体と背面側筐体とによって表示部分の外観を構成しているものが主流となっている。前面側筐体には、略中央に開口部が形成されており、前記開口部より装置内部に組付けた表示パネルが臨むこととなる。そして、前記前面側筐体と背面側筐体とによって構成される外観部品の内部には、前述した表示パネルの他に電源回路基板、制御回路基板、スピーカ、操作釦、等の部品が配設され、これら各種部品は前面側筐体若しくは背面側筐体に対して固定手段を用いて組付けが行われる。尚、液晶表示装置は表示部分の下端部に床面への載置を可能とするためのスタンドを備えているのが一般的に多く、前記スタンドを表示部分より取り外すことによって、例えば壁に掛けた状態での視聴を可能にする等の使用用途の幅を広げた構造としている。
【０００４】
次に、液晶表示装置の組立て手順について概要を説明する。通常、前面側筐体の内面側に表示パネル、スピーカ、及び各種基板等の内蔵部品を固定手段によって順次組付ける手法が採用されている。一例を述べれば、前面側筐体の正面側を下方に伏せた状態とし、前記前面側筐体の後方よりスピーカの取付け、表示パネルの載置を行い、前記表示パネルの背面側に各種基板を取付けて結線処理を行い、最終的に背面側筐体を前記前面側筐体の後方を覆うように取付ける。尚、前述においては、本発明に関係する内蔵部品のみの説明に留めているが、実際には操作釦、スタンド支持部、受光部等の部品についても取付けを行うが、ここでの詳細な説明は割愛する。
【０００５】
又、工程の簡略化及び物流の簡素化を図る目的で、ある程度内蔵部品を筐体に取付けた状態で最終工程に送る手段がある。具体的事例を詳述すれば、背面側筐体に予め基板を取付けた状態で最終工程へと移送し、表示パネル及びスピーカ等の部品においては最終工程で前面側筐体に順次取付け、最終的に基板を取付けた背面側筐体を前面側筐体に組付け完了する手法である。この場合、予め背面側筐体に基板を取付けていることから、最終工程での工数の削減が可能となる。加えて、各部品を最終工程で全て取付ける場合に比べ、別工程である程度取付けた状態の部品を最終工程に送る場合のほうが物流が円滑に行え、且つ部品の煩雑さが解消されるという利点がある。
【０００６】
しかし、表示パネルを前面側筐体に取付ける構成とした場合、電源供給を行う為の回路基板を予め背面側筐体に取付けることにより、結線処理及び筐体内部での線材処理が煩雑になる虞がある。又、表示パネルを背面側筐体に取付ける構成とすれば、前記表示パネルの背面側に回路基板が位置することに成り、スペース的な問題も生じて結線処理が非常に困難となり、作業性の低下に繋がる虞がある。
【０００７】
そこで、背面側筐体の側面に結線作業用の穴を設けておき、この穴を利用して結線処理した後で、該穴に蓋をして塞ぐことも可能であるが、作業専用の穴を設けることにより外観意匠が損なわれると共に、穴を設けることによる筐体自身の強度低下、蓋部品の追加に伴う部品点数の増加、及び製品費用の高騰等が生じる。特開２００６−３３０１６２号に係る「液晶表示装置」は、この問題点を解決した従来技術であり、バックライト用のランプ(冷陰極蛍光管)からスペーサを介して引き出されたワイヤ線の引出し始端部の引出し方向が外向きになることを回避することにより、リアフレームやリアキャビネットの取付け作業性が損なわれないようにすると共に、ワイヤ線の必要長を短縮してコストダウンを図っている。 
【０００８】
そこで、リアフレームの端縁を迂回させたワイヤ線を、リアフレームの背面側の配線基板にコネクタを介して接続する場合に、ワイヤ線に取り付けたスペーサによってワイヤ線の引出し始端部の引出し方向を枠形フレームの１つの辺に沿う向きに変更する。ワイヤ線が、１本のＵ字形ランプでなるランプの２つの端部から個別に引き出されて１つのコネクタに接続された２本のリード線を含んでいる。 
【０００９】
上記液晶表示装置ではランプ(冷陰極蛍光管)から引き出されたワイヤー線やリード線が邪魔になってリアフレームやリアキャビネットの取付け作業性が損なわれることはなく、ワイヤー線やリード線の線処理構造が簡素化されるが、線材の向きを規制するだけであり、コネクタの位置決め・保持はされない。又、フロント面へ出線もされず、本発明の趣旨とする背面側筐体への組み付け時の配線作業には適していない組立て構造である。 
【００１０】
又、上記冷陰極蛍光管の形態は略直線形状（以下、ストレート管と称す。）と略Ｕ字形状（以下、Ｕ字管と称す。）とが存在し、何れの形態の冷陰極蛍光管であっても取付けすることが出来る構造とする方が好都合である。特開２００６−２３５１２４号に係る「液晶表示装置及びその製造方法」は、液晶パネル、その他の光学部材あるいは蛍光管等のバックライトのそれぞれを最小限の作業数で容易に解体交換することが可能な液晶表示装置である。 
【００１１】
この液晶表示装置は、厚み方向に対し、少なくとも、リアシャーシ、バックライトを取り付けたランプホルダ、液晶パネル及びパネル固定金具がこの順に組み込まれており、上記パネル固定金具には第１の金具固定用孔が設けられていると共に、リアシャーシにはシャーシ固定用孔が設けられており、上記第１の金具固定用孔と、シャーシ固定用孔とを挿通する第１の固定部材を備えている。 
【００１２】
特開２００４−５５５２４号に係る「バックライトアセンブリ及びこれを有する液晶表示装置」は、大型画面を具現するに適しているバックライトアセンブリである。そこで、第１収納容器は二つ以上の部材からなり、部材の締結によりフレーム形状に形成され、光を発生する一つ以上のランプと光拡散部材を収納する。バックライトアセンブリ及びこれを用いた液晶表示装置のサイズが段々大型化されるにつれて、第１収納容器のサイズが大型化されても、小さいサイズを有する部材を製造した後、これらを組立てて一つの大型第１収納容器を完成するために、大型画面を具現するバックライトアセンブリ及び液晶表示装置の生産性及び組立精度を向上させることができる。 
【００１３】
ところで、これらの液晶表示装置の冷陰極蛍光管はストレート管と成っており、Ｕ字管ではなく、しかもＵ字管に対応できる構造とは成っていない。Ｕ字管を使用した液晶表示装置も知られているが、この場合にはストレート管に対応可能な保持形態とは成っておらず、冷陰極蛍光管の形態が何れであっても保持可能な取付け構造は存在しない。 
【特許文献１】特開２００６−３３０１６２号に係る「液晶表示装置」
【特許文献２】特開２００６−２３５１２４号に係る「液晶表示装置及びその製造方法」
【特許文献３】特開２００４−５５５２４号に係る「バックライトアセンブリ及びこれを有する液晶表示装置」
【発明の開示】
【発明が解決しようとする課題】
【００１４】
このように従来の液晶表示装置の冷陰極蛍光管のコネクタ配置構造には上記のごとき問題がある。本発明が解決しようとする課題はこれら問題点であり、背面側筐体に各種基板を取付ける組立て構造とした表示装置であって、表示パネルも背面側筐体に設置し、冷陰極蛍光管を含む発光部品と回路基板との接続をそのままの姿勢で作業することが出来、前面側筐体を取付ける際にも発光部品と回路基板と接続する線材やコネクタが邪魔にならず、さらに発光部品である冷陰極蛍光管の形態がストレート管であれ、Ｕ字管であれ、保持・取付けすることが出来る表示装置を提供する。 
【課題を解決するための手段】
【００１５】
本発明に係る表示装置は背面側筐体に各種基板を取付け、表示パネルを設置する組立て構造としている。そして、発光部品と回路基板との接続はコネクタを介して接続し、該コネクタの接続作業は表示パネルを背面側筐体に設置する姿勢のままで行うことが出来るように、コネクタは表示パネルの側面に設けられる。その為に、表示パネルの構成部材であるサイドフレームにはコネクタ保持部を設けている。 
【００１６】
背面側筐体に表示パネルが設置された状態で回路基板から延出している線材付きコネクタを上記表示パネル側のコネクタに挿入接続する。そして、本発明では該サイドフレームに発光部品たる冷陰極蛍光管の両端が保持されるが、ストレート管の場合には両端部に弾性緩衝部材が介在し、サイドフレームには前記弾性緩衝部材が嵌って取付けられる。一方、冷陰極蛍光管がＵ字管の場合、電源供給側端部は上記弾性緩衝部材を介してサイドフレームに取付けられ、屈曲部側は弾性環状部材が用いられてサイドフレームに取付けられる。 
【発明の効果】
【００１７】
本発明に係る表示装置は各種基板類及び表示パネルを背面側筐体に設置、組付けする構造である為に、発光部品である冷陰極蛍光管と回路基板との接続作業をそのままの姿勢で行うことが出来る。そして、隣り合う冷陰極蛍光管を互いに接続しているコネクタには、回路基板から延びる線材付きコネクタを該表示パネル側コネクタに挿入して接続することが出来、このコネクタは表示パネルの構成部品で側面部材にあたるサイドフレームの外側にコネクタ保持部を設けることによって、コネクタ同士の接続作業を容易に行うことが可能となる。
【００１８】
従って、背面側筐体に表示パネルを設置した状態のままで、回路基板から延出する線材付きコネクタの接続作業を、前記背面側筐体の側部隙間に制約されることなく行うことが出来る。そして、発光部品たる冷陰極蛍光管の形態がストレート管であってもＵ字管であっても、弾性緩衝部材及び弾性環状部材を介してサイドフレームに取付けることが出来る。 
【発明を実施するための最良の形態】
【００１９】
以下、本発明を実施するための最良の形態としての実施例を図１〜図９により以下に説明する。もちろん、本発明は、その発明の主旨に反しない範囲で、実施例において説明した以外のものに対しても容易に適用可能なことは説明を要するまでもない。
【００２０】
図１は本実施例における表示装置の正面側斜視図である。表示装置はスタンド４を有して起立し、表示部１は前面側筐体２、背面側筐体３、表示パネル、及びその他の部品で構成している。表示部１の具体的な構造は色々あるが、本発明では上記背面側筐体３に表示パネルを含む各種内部構成部品を設置して組付け、最後に前面側筐体２を取付ける構造としている。 
【００２１】
図２は表示パネルの分解図であり、同図の５はバックシャーシ、６は反射シート、７は発光部品である冷陰極蛍光管(ＣＣＦＬ)、８は側面部材であるサイドフレーム、９は拡散板、１０は拡散シート、１１はミドルフレーム、１２は液晶セル、１３はフロントベゼル、１４はラバー材を各々表している。 
【００２２】
本発明の表示装置は、上記背面側筐体３に各種基板、スピーカなどの部品を順次取付け、最後に図２に示す各部品を組立てて構成される表示パネル(図６参照)が載置される。その為に、背面側筐体３に取付けられる回路基板(図示なし)から延出する線材付きコネクタを処理するに際して、上記サイドフレーム８を利用し、該サイドフレーム８に設けたコネクタ保持部１６に冷陰極蛍光管側のコネクタ１７を嵌めて取付け、このコネクタ１７に回路基板からの線材付きコネクタを接続することで、結線処理が容易に行える。 
【００２３】
すなわち、背面側筐体３に表示パネルを設置すれば、回路基板から延びる線材付きコネクタを引き出して冷陰極蛍光管７と接続処理することは容易ではないが、本発明ではサイドフレーム８にコネクタ１７を取付けることで回路基板との接続作業を容易ならしむことが可能となる。 
【００２４】
図３は背面側筐体３に表示パネル１５を設置した状態の斜視図であり、該表示パネル１５の両側面を構成しているサイドフレーム８，８の一方側にはコネクタ保持部１６，１６・・を形成し、このコネクタ保持部１６，１６・・にはコネクタ１７，１７・・が嵌って取付けられる。前記図２に示しているようにコネクタ１７は隣り合う２本の冷陰極蛍光管７，７の電源供給側から延出する線材１８，１８を接続し、又、回路基板(図示なし)から延出する線材付きコネクタが表示パネル側のコネクタ１７に接続される。 
【００２５】
図４はサイドフレーム８に形成したコネクタ保持部１６に表示パネル側のコネクタ１７が嵌って取付けられている状態を表している。同図の１８は冷陰極蛍光管７から延出する線材、１９は背面側筐体３に取付けられた回路基板から延出する線材を示している。ここで、上記冷陰極蛍光管側の線材１８はコネクタ保持部１６の外側に設けたフック２０に係止して概略Ｓ字状に屈曲している為に、コネクタ１７はコネクタ保持部１６から容易に外れることはない。 
【００２６】
すなわち、コネクタ１７はコネクタ保持部１６の上方に設けた嵌入部から嵌められ、該嵌入部に設けた切欠き溝３６，３６によって分離された支持片が、樹脂部品特有のバネ性による微弱な力でコネクタ１７を保持するが、該支持片３７だけでは保持部１６からコネクタ１７が外れる虞があるために、２本の線材１８，１８が両フック２０，２０に巻き掛けられることで、前記コネクタ１７はコネクタ保持部１６に対し上昇して外れることはない。そして、回路基板から延出する線材１９の先端部分に設けたコネクタを表示パネル側のコネクタ１７に挿入して接続される。 
【００２７】
図５は冷陰極蛍光管の線材を延出しない側に位置するサイドフレーム８を単独で表した図であり、(ａ)は内側上方から観た斜視図、(ｂ)は外側下方から観た斜視図を各々示している。サイドフレーム８は樹脂製の成形品であり、前記図２に示すように表示パネル１５の側面に配置され、外方向へ突出する突出部２１，２１を背面側筐体３の所定位置に配置する。 
【００２８】
サイドフレーム８は間に空間を設けて内壁２３と外壁２４を有し、内壁２３の下縁２２には複数の凹溝２５，２５・・が形成され、外壁２４の下端２２には凹溝２６，２６・・を有している。そして、内壁２３と外壁２４を繋ぐ為の仕切りリブ２７，２７・・を設けている。又、内壁２３の内側には凹溝２５，２５・・と対向する位置に仕切り３４，３４・・を設けて内壁２３との間に収容部２８，２８・・を形成している。 
【００２９】
図７は複数本の冷陰極蛍光管７，７・・の両端をサイドフレーム８ａ，８ｂに連結して保持した状態を示す斜視図であり、冷陰極蛍光管７，７・・はストレート管であり、先端には弾性緩衝部材２９，２９・・が取付けられ、該弾性緩衝部材２９，２９・・はサイドフレーム８ａ，８ｂの内壁２３と外壁２４との間に取着されている。 
【００３０】
図８は上記弾性緩衝部材２９を示す具体例であり、穴３２には冷陰極蛍光管７が挿入され、第１嵌合部３０は内壁下縁２２に形成した凹溝２５に嵌り、一回り大きな第２嵌合部３１は収容部２８に嵌って位置決めされる。そして、この弾性緩衝部材２９には穴３５が設けられ、冷陰極蛍光管７から延びる線材１８が該穴３５から導かれてコネクタ１７と接続する。 
【００３１】
このように、各冷陰極蛍光管７，７・・は弾性緩衝部材２９を介してサイドフレーム８ａ，８ｂに連結して取付けられる。前記図２示している冷陰極蛍光管７の形態は上記ストレート管ではなく、一方端部がＵ字状に連結された形状と成っている。図９は一方端部がＵ字状に連結された冷陰極蛍光管７をサイドフレーム８に取付けている場合である。この場合には、上記弾性緩衝部材２９ではなく、外形がリング状を成す弾性環状部材３３が使用され、該弾性環状部材３３はサイドフレーム８に形成した収容部２８に嵌って取付けられる。 
【００３２】
以上、本発明の実施例を詳述したが、本発明は前記実施例に限定されるものではなく、本発明の要旨の範囲内で種々の変形実施が可能である。例えば、表示パネルの発光部品として冷陰極蛍光管を用いた表示パネルを実施例で詳述したが、ＬＥＤを用いた表示パネルであってもよい。又、本発明の実施例ではコネクタ保持部の嵌入部に支持片を形成しているが、例えば、切欠き溝を設けることなく全周が連続した凹状の嵌入部であってもよく、実際に取付けるコネクタの外形形状によって適宜変更可能である。さらに、発光部品の端部を保持するための形状や数量についても対象となる発光部品の種類に応じて適宜変更可能である。
【図面の簡単な説明】
【００３３】
【図１】表示装置の外観斜視図。
【図２】表示パネルの分解斜視図。
【図３】背面側筐体に表示パネルを載置した状態を示す斜視図。
【図４】サイドフレームに形成したコネクタ保持部にコネクタを取付けた状態を示す部分拡大斜視図。
【図５】サイドフレームの外観斜視図。
【図６】表示パネルの外観斜視図。
【図７】ストレート管をサイドフレームに取付けた状態を示す斜視図。
【図８】弾性緩衝部材の形状を示す斜視図。
【図９】一方端部がＵ字状に連結されている冷陰極蛍光管の取付け構造を示す部分拡大斜視図。
【符号の説明】
【００３４】
１  表示部
２  前面側筐体 
３  背面側筐体 
４  スタンド 
５  バックシャーシ 
６  反射シート 
７  冷陰極蛍光管（発光部品） 
８  サイドフレーム 
９  拡散板 
10  拡散シート 
11  ミドルフレーム 
12  液晶セル 
13  フロントベセル 
14  ラバー材 
15  表示パネル 
16  コネクタ保持部 
17  コネクタ 
18  線材（表示パネル側） 
19  線材（回路基板側） 
20  フック 
21  突出部 
22  下縁 
23  内壁 
24  外壁 
25  凹溝 
26  凹溝 
27  仕切りリブ 
28  収容部 
29  弾性緩衝部材 
30  第１嵌合部 
31  第２嵌合部 
32  穴 
33  弾性環状部材 
34  仕切り 
35  穴 
36  切欠き溝
37  支持片
【図１】
2009162919.tif 000003
【図２】
2009162919.tif 000004
【図３】
2009162919.tif 000005
【図４】
2009162919.tif 000006
【図５】
2009162919.tif 000007
【図６】
2009162919.tif 000008
【図７】
2009162919.tif 000009
【図８】
2009162919.tif 000010
【図９】
2009162919.tif 000011